(57)【要約】      （修正有）【課題】道糸の移動を阻止して、その絡まりや不足な針の脱落を防止する。【解決手段】針を吸着する板状ゴム磁石Ｃと当該磁石Ｃに保持された針の道糸を保持する複数の道糸架け部１０とからなる。前記板状ゴム磁石Ｃが短冊状であって、当該磁石Ｃの長辺に沿って前記道糸架け部１０が複数直列状に配置されている。針止め用の板状ゴム磁石Ｃの一部に吸着する磁性部と前記道糸架け部１０とが一体に構成され、前記板状ゴム磁石Ｃに磁力にて着脱自在に固定される。前記道糸架け部１０は道糸架け用の孔１１とこの孔の一側から始まり、前記孔の半径より細い道糸導入用のスリット１２とそのスリット１２の先端繋がるラッパ状に開放する導入口１３とにより構成されている。前記ラッパ状の導入口１３を形成する両側面が前記スリット１２の両側面に対して、一方が上方に向かって傾斜し、他方が下方に向かって傾斜した斜面に形成されている。【選択図】図１
2011193865.tif 000002
【特許請求の範囲】
【請求項１】
多数の針を持ち、それぞれの針から道糸が伸びている釣り用仕掛けを保持するための仕掛け保持具であって、前記針を吸着する板状磁石と当該磁石に保持された針の道糸を保持する複数の道糸架け部とからなることを特徴とする仕掛け保持具。
【請求項２】
請求項１に記載の仕掛け保持具において、前記板状磁石が短冊状であって、当該磁石の長辺に沿って、前記道糸架け部が複数、直列状に配置されていることを特徴とする仕掛け保持具。
【請求項３】
請求項１又は２に記載の仕掛け保持具を構成する道糸架け部材であって、針止め用の板状磁石の一部に吸着する磁性部と前記道糸架け部とが一体に構成され、前記板状磁石に磁力にて着脱自在に固定しえるようにしてあることを特徴とする道糸架け部材。
【請求項４】
請求項１又は２に記載の仕掛け保持具又は請求項３に記載の道糸架け部材において、前記道糸架け部は、道糸架け孔と、この孔の一側から始まり、前記孔の半径より細い道糸導入スリットと、そのスリットの先端繋がるラッパ状に開放する導入口とにより構成されていることを特徴とする仕掛け保持具又はその道糸架け部材。
【請求項５】
請求項４に記載の仕掛け保持具又はその道糸架け部材において、前記ラッパ状の導入口を形成する両側面が、前記スリットの両側面に対して、一方が上方に向かって傾斜し、他方が下方に向かって傾斜した斜面に形成されていることを特徴とする仕掛け保持具又はその道糸架け部材。
【発明の詳細な説明】
【技術分野】
【０００１】  本発明は、多数の針を持ち、それぞれの針から道糸が伸びている釣り用仕掛けを保持するための仕掛け保持具とその道糸架け部材に関する。
【背景技術】
【０００２】  従来この種の仕掛けを保持するには、特許文献１に示すような板状の磁石に複数の針を吸着していたが、針それぞれから伸びる道糸が風などの影響を受けて保持中、もしくは針を磁石に固定する際に絡まり合い、再度使用するときに、この絡まりを解除する必要が生じることがしばしばであった。
また、道糸を動かす風の力によっては、一旦磁石に吸着した針が不足に外れるという問題も生じていた。
【先行技術文献】
【特許文献】
【０００３】
【特許文献１】特開２００１−１７８３４０
【発明の概要】
【発明が解決しようとする課題】
【０００４】  本発明は、このような実情に鑑み、道糸の移動を阻止して、その絡まりや不足な針の脱落を防止するようにすることを目的とした。
【課題を解決するための手段】
【０００５】  発明１の仕掛け保持具は、針を吸着する板状磁石と当該磁石に保持された針の道糸を保持する複数の道糸架け部とからなることを特徴とする。
発明２は、発明１の仕掛け保持具において、前記板状磁石が短冊状であって、当該磁石の長辺に沿って、前記道糸架け部が複数、直列状に配置されていることを特徴とする。
発明３は、発明１又は２の仕掛け保持具を構成する道糸架け部材であって、針止め用の板状磁石の一部に吸着する磁性部と前記道糸架け部とが一体に構成され、前記板状磁石に磁力にて着脱自在に固定しえるようにしてあることを特徴とする。
発明４は、発明１又は２の仕掛け保持具又は発明３の道糸架け部材において、前記道糸架け部は、道糸架け孔と、この孔の一側から始まり、前記孔の半径より細い道糸導入スリットと、そのスリットの先端繋がるラッパ状に開放する導入口とにより構成されていることを特徴とする。
発明５は、発明４の仕掛け保持具又はその道糸架け部材において、前記ラッパ状の導入口を形成する両側面が、前記スリットの両側面に対して、一方が上方に向かって傾斜し、他方が下方に向かって傾斜した斜面に形成されていることを特徴とする。
【発明の効果】
【０００６】  発明１の仕掛け保持具は、針と同時にその道糸までも保持することができるので、その二点保持により、針や道糸にかかる風などの外力に対抗する強い保持力をもって、多数ある針とその道糸をそれぞれ確実に保持することができた。
また、発明３の道糸架け部材では、従来から使用されている針受け用の板状磁石を利用して、道糸を保持する機能を容易に付加することが可能となった。
さらに発明４、及び５の道糸架け部の構造を採用することで、道糸を容易に架け止めできるとともに、その不足な抜け出しをも防止することができた。
【図面の簡単な説明】
【０００７】
【図１】実施例１に示す仕掛け保持具の斜視図。
【図２】実施例１に示す仕掛け保持具の道糸架け部の拡大斜視図。
【図３】図２に示す道糸架け部の背面図。
【図４】実施例２に示す道糸架け部材の使用状態を示す斜視図。
【発明を実施するための形態】
【０００８】  本発明を構成する道糸架け部は、道糸を風などで移動しない程度の架け止めできるものであれば良く、以下の実施例に示すようなゴム板を所定の形状に加工したものに限らず、プラスチック板、金属板などを用いることを除外するものではない。
なお、実施例のようにゴム板を用いることで、使用場所の凹凸などに応じた変形を許すので、船べりなどに取り付けることが容易である。
また、板状の磁石も、ゴム磁石に限らず、硬質のプラスチック磁石や金属磁石などを用いることを除外するものではない。
【実施例１】
【０００９】  本実施例は、本発明の仕掛け保持具の一例を示すものである。
硬質ゴム製の板状基盤（Ｂ）に、短冊状の板状ゴム磁石（Ｃ）と、このゴム磁石（Ｃ）の長辺に沿って短冊状のゴム板からなる道糸架け板（Ａ）を固定したものである。
前記道糸架け板（Ａ）には、その背面側に７個の道糸架け部（１０）が形成してある。
なお、前記基盤（Ｂ）の左右部分は、船べりなどに竿賭けなどを用いて固定するための固定部分である。【００１０】  前記道糸架け部（１０）はそれぞれ、道糸架け用の孔（１１）と、これに道糸を出し入れするスリット（１２）と、このスリット（１２）の先端に続くラッバ状に開いた導入口（１３）とから構成してある。
前記スリット（１２）は道糸の太さと同じが、それより少々大きい程度の幅を持つが、前記孔（１１）の直径は、その幅の５倍以上の大きさをもっており、一旦孔（１１）内に導入された道糸は、孔（１１）内にて自由に動いて、不足にスリット（１２）に入り込まないようにしてある。
また、導入口（１３）をラッパ状にすることで、細いスリット（１２）内への道糸の導入を容易にしてある。
さらに、前記導入口（１３）を構成する左右の辺（１４）（１５）は一方を下方に向かって傾斜（１５）させ、他方を上方に向かって傾斜（１４）させている。
このようにして、導入と共に、柔軟な道糸を案内して、スリット（１２）にあった直線状に整形して、スリット（１２）への導入をより一層容易にしてある。
以上のようにして、針を磁石（Ｃ）に吸着させ、それから伸びる道糸を、吸着された針に近い箇所の道糸架け部（１０）に導入しておくことで、互いに道糸が絡まりあうことなく、また、針の不足な脱落もなく仕掛けを保持することができた。
【実施例２】
【００１１】本実施例は、本発明の道糸架け部材の一例を、市販の針受け磁石に保持させて用いた例でを示す。
本道糸架け部材は、短冊状のゴム製基盤（２０）とゴム製の前記道糸架け部（１０）を有する道糸架け板（Ａ）とが一体になった構造を有している。
そして、前記基盤（２０）の裏面には、防錆処理した鉄板（２１）が固着してある。
このようにして、基盤（Ｂ１）と板状の磁石（Ｃ１）とにより構成されている市販の針受け磁石の前記磁石（Ｃ１）に、針吸着部分を残して、前記鉄板（２１）を吸着させて固着して用いるものである。
道糸架けが不要な場合は、本道糸架け部材を前記磁石から離脱することで、広い面積の吸着面を前記磁石に確保することができる。
【符号の説明】
【００１２】（１０）          道糸架け部
（１１）          道糸架け用の孔
（１２）          スリット
（１３）          導入口
（１４）（１５）  左右の傾斜辺
（２０）          ゴム製基盤
（２１）          鉄板
（Ａ）            道糸架け板
（Ｂ）（Ｂ１）    板状基盤
（Ｃ）（Ｃ１）    ゴム磁石
【図１】
2011193865.tif 000003
【図２】
2011193865.tif 000004
【図３】
2011193865.tif 000005
【図４】
2011193865.tif 000006